(57)【要約】【課題】拘束すべき対象者へのサスマタの拘束機能を特別に高めることを目的とする。【解決手段】内部中空のロッド本体１と、ロッド本体１の先端に設けられ、対象者を拘束するために半円弧状または二股状に形成されたアーム２とを有するサスマタにおいて、前記アーム２の表面の一部と前記ロッド本体１の先端近くの表面に、先端が先細りに形成された複数の突起３やリブ３１を設けたことを特徴とする。【選択図】  図１
2006266657.tif 000002
【特許請求の範囲】
【請求項１】
内部中空のロッド本体と、ロッド本体の先端に設けられ、対象者を拘束するために半円弧状または二股状に形成されたアームとを有するサスマタにおいて、
前記アームの表面の一部と前記ロッド本体の先端近くの表面に、先端が先細りに形成された複数の突起を設けたことを特徴とするサスマタ。
【請求項２】
内部中空のロッド本体と、ロッド本体の先端に設けられ、対象者を拘束するために半円弧状または二股状に形成されたアームとを有するサスマタにおいて、
前記アームの表面の一部と前記ロッド本体の先端近くの表面に、先端が先細りに形成されたリブをそれぞれの長さ方向に沿って設けたことを特徴とするサスマタ。
【請求項３】
前記リブを設けた前記アームは手で握り難い断面形状と大きさを有することを特徴とする請求項２に記載のサスマタ。
【請求項４】
内部中空のロッド本体と、ロッド本体の先端に設けられ、対象者を拘束するために二股状に形成されたアームとを有するサスマタにおいて、
前記アームと前記ロッド本体の先端部分はそれぞれが自身の軸回りに回転することを特徴とするサスマタ。
【請求項５】
前記ロッド本体には、ロッド本体の先端から出没可能な可動ロッドと、可動ロッドを出没操作するためのレバーとが設けられていることを特徴とする請求項１乃至４の何れかに記載のサスマタ。
【請求項６】
前記ロッド本体には、ロッド本体の先端部付近に配置され液体又は気体等の噴出物を噴射するためのノズルと、前記ロッド本体内に配置され前記ノズルに供給する噴出物の供給部と、前記ノズルから噴射するか否かを制御する操作部とが設けられていることを特徴とする請求項１乃至４の何れかに記載のサスマタ。
【発明の詳細な説明】
【技術分野】
【０００１】  本発明は、犯人を拘束したり逮捕したりする際に使用するサスマタの技術に関するものである。
【背景技術】
【０００２】  従来の一般的なサスマタとして、図９に示す構造のものがある。このサスマタは、長さが数メートル程度のロッド本体１の先端部に、半円弧状に湾曲したアーム２を設けた構造である。これを使用するときには、例えば犯人などの対象者の身体にアーム２を押し付けて拘束するようにして使用する。【０００３】
【特許文献１】  特開２００１−１８３０９１号公報
【発明の開示】
【発明が解決しようとする課題】
【０００４】  サスマタの使用に際しては、長いロッド本体１を備えるため、拘束すべき対象者から離れた位置にて使用することができる利点がある。【０００５】  しかし、この従来のサスマタには弱点があった。その理由は以下の通りである。サスマタの使用時において、使用者はロッド本体１の部分を両手でしっかり握るようにして持っていても、例えば犯人は二つに分かれたアーム２、２の部分を両手や片手で持ったり、ロッド本体１の先端部分３を持ったりすることで、ロッド本体１を持つ使用者に強い力を及ぼすことが可能になるからである。これはサスマタの構造上の弱点と言える。【０００６】  本発明は、上記実情に配慮したもので、サスマタの拘束機能を特別に高めた技術を提供することを目的とする。
【課題を解決するための手段】
【０００７】  本発明は、内部中空のロッド本体と、ロッド本体の先端に設けられ、対象者を拘束するために半円弧状または二股状に形成されたアームとを有するサスマタにおいて、前記アームの表面の一部と前記ロッド本体の先端近くの表面に、先端が先細りに形成された複数の突起を設けたことを特徴とする。
アームの表面の一部とロッド本体の先端近くの表面に、先端が先細りに形成された複数の突起を設けたことで、拘束すべき対象者がアームやロッド本体の先端近くを握る（掴む）と手の平が痛くなり、強く握ることができなくなる。したがって、拘束すべき対象者がロッド本体に強い力を及ぼすことを不可能にして、対象者への拘束機能を高めることができる。【０００８】  本発明では、前記複数の突起の代わりに、前記アームの表面の一部と前記ロッド本体の先端近くの表面に、先端が先細りに形成されたリブをそれぞれの長さ方向に沿って設けても良い。また、このリブを設けたアームは手で握り難い断面形状と大きさを有する構成としても良い。【０００９】  本発明は、内部中空のロッド本体と、ロッド本体の先端に設けられ、対象者を拘束するために二股状に形成されたアームとを有するサスマタにおいて、前記アームと前記ロッド本体の先端部分はそれぞれが自身の軸回りに回転する構成としたことを特徴とする。対象者にアームやロッド本体の先端部分を掴まれても、アームとロッド本体の先端部分はそれぞれが自身の軸回りに回転自在であるので、対象者がロッド本体に強い力を及ぼしたり、ロッド本体全体を軸回りに回転させたりするのを防ぐことができる。【００１０】  前記ロッド本体には、ロッド本体の先端から出没可能な可動ロッドと、可動ロッドを出没操作するためのレバーとが設けられている構成としても良い。対象者にアームを掴まれたときに、ロッド本体の先端から可動ロッドを突出させて対象者に突き当てて拘束することが可能になる。【００１１】  前記ロッド本体には、ロッド本体の先端部付近に配置され液体又は気体等の噴出物を噴射するためのノズルと、前記ロッド本体内に配置され前記ノズルに供給する噴出物の供給部と、前記ノズルから噴射するか否かを制御する操作部とが設けられている構成としても良い。対象者にアームを掴まれたときに、ロッド本体の先端付近から噴出物を噴射して威嚇したり、噴射物を対象者に付着させたりすることができる。噴射物を催涙ガスとすることもできる。
【発明の効果】
【００１２】  本発明は、拘束すべき対象者へのサスマタの拘束機能を特別に高めることができる。
【発明を実施するための最良の形態】
【００１３】  （実施例１）
図１は、本発明の実施例１を示す平面図である。この実施例１のサスマタは、内部中空のロッド本体１と、ロッド本体１の先端に設けられ、対象者を拘束するために半円弧状に形成されたアーム２とを有している。そして、アーム２の表面の一部とロッド本体１の先端近くの表面には、先端が先細りに形成された複数の突起３が設けられている。【００１４】  ロッド本体１は、例えばアルミ合金製の円筒管からなり、全体の長さが３ｍ前後に形成されている。このロッド本体１は伸縮型ロッドとしても良い。ロッド本体１の基端側には滑り止めを兼ねたグリップ４が設けられている。【００１５】  半円弧状に湾曲形成されたアーム２もアルミ合金製、あるいは他の剛性のある金属からなり、ロッド本体１の先端に溶接あるいはねじ止めされて強固に固定されている。【００１６】  突起３はアーム２の表面全体に設けてもよいが、拘束対象者を突起３で傷つける恐れもあるので、図示のようにアーム２の内周側には設けない方が好ましい。但し、ロッド本体１の先端近くの表面にはその全周に適宜な間隔をおいて多数設ける方が好ましい。【００１７】  突起３の形状としては種々の形状のものを採用できるが、製作性の点で、例えばアルミ合金製の板材から三角形の板状に加工したものを溶接により取り付けることができる。勿論、円錐形状の突起３を採用しても良い。【００１８】  この実施例１では、アーム２の表面の一部とロッド本体１の先端近くの表面に、先端が先細りに形成された複数の突起３を設けたことで、拘束対象者がアーム２やロッド本体１の先端近くを握る（掴む）と手の平が痛くなり、強く握ることができなくなる。したがって、拘束すべき対象者がロッド本体１に強い力を及ぼすことが不可能になる。この結果、対象者への拘束機能を特別に高めることができる。【００１９】  （実施例２）
この実施例２では、図２に示すように、複数の突起３の代わりに、アーム２の表面の一部とロッド本体１の先端近くの表面に、先端が先細りに形成されたリブ３１をそれぞれの長さ方向に沿って設けたものである。この実施例のリブ２は、図３に示すように断面三角形状に形成してある。したがって、対象者がアーム２やロッド本体１の先端部近くを掴むと、この先細りのリブ３１が存在するため、実施例１の場合と同様に強く握ることができなくなる。これにより、サスマタの使用者にロッド本体１を介して強い力を及ぼすことが不可能になる。なお、このリブ３１を設けたアーム２は手で握り難い断面形状と大きさを有する構成としても良い。アーム２を手で握り難い場合も、実施例１、２と同様の効果を期待できるからである。【００２０】  （実施例３）
図４は本発明の実施例３を示す平面図である。この実施例では、内部中空のロッド本体１と、ロッド本体１の先端に設けられ、対象者を拘束するために二股状に形成されたアーム２とを有するサスマタにおいて、アーム２とロッド本体１の先端部分を、それぞれが自身の軸回りに回転する構成としたものである。【００２１】  この実施例のアーム２，２はそれぞれ円筒状に形成され、その内部にはベース２１から延びる支軸２２、２２がそれぞれ設けられている。これにより、アーム２，２が支軸２２，２２を中心にして自身の軸回りに回転可能になっている。また、ロッド本体１の先端部分にも回転筒１１が設けられている。【００２２】  この実施例３では、対象者にアーム２やロッド本体１の先端部分を掴まれても、アーム２とロッド本体１の先端部分はそれぞれが自身の軸回りに回転自在な回転筒１１を備えているので、対象者がロッド本体１に強い力を及ぼしたり、ロッド本体１全体を軸回りに回転させたりするのを防ぐことができる。なお、例えば支軸２２を回転筒１１に連結し、アーム２全体が回転筒１１と一体に回転可能な構成としても良い。【００２３】  また、サスマタの使用者が握るロッド本体１の部分が、拘束対象者の力によって回転し難いように、グリップ４の近くに図５に示すような補助グリップ４ａを設けても良い。この補助ロッド４ａは支点４ｂを中心に縦回動してロッド本体１側へ収納できるようにするのが好ましい。また、図６に示すように、グリップ４自体をスコップのグリップ（枝）に似せた形状にしても良い。【００２４】  （実施例４）
図７は本発明の実施例４を示す平面図である。この実施例のロッド本体１には、ロッド本体１の先端から出没可能な可動ロッド１２と、可動ロッド１２を出没操作するためのレバー１３とが設けられている。可動ロッド１２は、不使用時にはロッド本体１内に収納されている。操作用のレバー１３はグリップ４の近くに設けられている。レバー１３の基端は可動ロッドにねじ止め等により連結され、先端はロッド本体１の外側へ突出している。レバー１１を矢印方向へ押すと、可動ロッド１２が突出可能にするために、レバー１３を移動させる範囲において、ロッド本体１の外周部にはその軸方向に延びるレバーガイド溝（図示せず）が設けられている。図７において、１４，１５は、ロッド本体１内に設けられた可動ロッド用のガイドを示す。【００２６】  この実施例４では、対象者にアーム２を掴まれたときに、ロッド本体１の先端から可動ロッド１２を突出させて対象者に突き当てて拘束することが可能になる。なお、この実施例４のアーム２及びロッド本体１の先端付近にも、突起３やリブ３１を設けてもよい。【００２６】  （実施例５）
図８は本発明の実施例５を示す平面図である。この実施例のロッド本体１には、ロッド本体１の先端部付近に配置され液体又は気体等の噴出物を噴射するためのノズル１６と、ロッド本体１内に配置されノズル１６に供給する噴出物の供給部１７と、ノズル１６から噴射するか否かを制御する操作部１８とが設けられている。【００２７】  ノズル１６の一部は、図示のようにロッド本体１の先端から突出している。ノズル１６と供給部１７との間には噴出物の供給管１９が設けられ、その供給管１９の途中に制御弁１９ａが設けられている。したがって、操作部１８はこの制御弁１９ａを開閉操作する押しボタンであり、グリップ４の近くの操作し易い部位に設けられている。【００２８】  供給部１７は、例えば噴出物の入ったスプレー缶などで構成され、蓋部材２０を外すことで交換可能に構成されている。噴出物としては色々の種類が考えられるが、有効性の面から、例えば、カラーボールなどに封入されている蛍光塗料の他、催涙ガス、異臭液などを例示することができる。【００２９】  この実施例の場合、対象者にアームを掴まれたときに、ロッド本体の先端付近から噴出物を噴射して威嚇したり、噴射物を対象者に付着させたり、催涙ガスで怯ませたりすることができる。なお、この実施例５のアーム２及びロッド本体１の先端付近にも、突起３やリブ３１を設けてもよい。
【図面の簡単な説明】
【００３０】
【図１】本発明の実施例１を示すサスマタの正面図。
【図２】本発明の実施例２を示すサスマタの部分正面図。
【図３】本発明の実施例２を示すアームの断面図図。
【図４】本発明の実施例３を示すサスマタの正面図。
【図５】本発明のグリップ部分の他の例を示す部分正面図。
【図６】本発明のグリップ部分の他の例を示す部分正面図。
【図７】本発明の実施例４を示すサスマタの正面図。
【図８】本発明の実施例５を示すサスマタの正面図。
【図９】従来のサスマタの正面図。
【符号の説明】
【００３１】  １  ロッド本体
２  アーム
３  突起
３１  リブ
４  グリップ
４ａ  補助グリップ
１１  回転筒
１２  可動ロッド
１３  レバー
１４、１５  ガイド
１６  ノズル
１７  供給部
１８  操作部
【図１】
2006266657.tif 000003
【図２】
2006266657.tif 000004
【図３】
2006266657.tif 000005
【図４】
2006266657.tif 000006
【図５】
2006266657.tif 000007
【図６】
2006266657.tif 000008
【図７】
2006266657.tif 000009
【図８】
2006266657.tif 000010
【図９】
2006266657.tif 000011